【手続補正書】
【提出日】平成29年2月9日(2017.2.9)
【手続補正１】
【補正対象書類名】特許請求の範囲
【補正対象項目名】全文
【補正方法】変更
【補正の内容】
【特許請求の範囲】
【請求項１】
第１方向に沿って複数のコースおよびウェールを形成するように少なくとも１本のヤーンを操作することによって、ニット要素を製作するステップと、
前記ニット要素の前記複数のコースおよびウェールの少なくとも一部を製作しているときに、前記第１方向とは異なる第２方向に沿った定位置に前記ニット要素に挿置されている少なくとも１つの伸縮要素を保持するステップと、
を備える編む方法。
【請求項２】
前記ニット要素を製作するステップは、前記複数のコースおよびウェールを形成するために、編み機に連動する少なくとも１つのフィーダーを使用するステップを備えており、
前記保持するステップは、前記定位置に前記少なくとも１つの伸縮要素を保持するために、前記編み機の針床に関連する少なくとも１本の針を使用するステップを備える、
請求項１に記載の方法。
【請求項３】
前記少なくとも１本の針は前記少なくとも１つの伸縮要素のループを保持する、請求項２に記載の方法。
【請求項４】
前記方法は、
第２の複数のコースおよびウェールを形成するように少なくとも１本の第２ヤーンを操作することによって、補助要素を製作するステップと、
前記第２の複数のコースおよびウェール内にある量の前記少なくとも１つの伸縮要素を挿入するステップとをさらに備える、
請求項１〜３のいずれか一項に記載の方法。
【請求項５】
前記補助要素を製作するステップは、前記ニット要素を製作するステップの前に行われる、請求項４に記載の方法。
【請求項６】
前記少なくとも１つの伸縮要素を保持するステップは、前記補助要素の前記第２の複数のコースおよびウェール内に前記ある量の少なくとも１つの伸縮要素が引き出されるまで継続する、請求項４または５に記載の方法。
【請求項７】
前記第２方向に挿置されている前記少なくとも１つの伸縮要素を有するニット構成要素を製作するために、前記ニット要素に関連する前記複数のコースおよびウェールを形成し続けるステップと、
前記ニット構成要素から前記補助要素を取り除くステップとをさらに備える、
請求項４〜６のいずれか一項に記載の方法。
【請求項８】
履物製品のニット構成要素を製造する方法で、前記方法は、
第１ヤーンを給糸する第１フィーダーと、複数の針を含む針床とを有する編み機を提供するステップと、
第１方向に前記針床に沿って少なくとも前記第１フィーダーを移動して、前記第１ヤーンから前記ニット構成要素の第１コースを形成するステップと、
前記複数の針のうちの少なくとも１本の針を用いて、伸縮要素を定位置に保持するステップと、
前記伸縮要素を前記少なくとも１本の針で前記定位置に保持しながら、前記ニット構成要素の第２コースを形成するために、前記第１方向に前記針床に沿って少なくとも前記第１フィーダーを移動するステップとを備えており、
前記伸縮要素は、前記第１フィーダーが前記針床に沿って移動して前記第２コースを形成する前記第１方向とは異なる第２方向に沿った前記定位置に前記少なくとも１本の針によって保持する方法。
【請求項９】
前記伸縮要素を供給する第２フィーダーを前記編み機に設けるステップと、
前記ニット構成要素の前記第１コース内にある量の前記伸縮要素を挿入するために、前記第１方向に前記針床に沿って少なくとも前記第２フィーダーを移動するステップとをさらに備えており、
前記少なくとも第２フィーダーを移動するステップは、前記伸縮要素を前記定位置に保持するステップの前に行われる、請求項８に記載の方法。
【請求項１０】
前記第１コースは、前記ニット構成要素の補助要素の少なくとも一部を備えており、
前記第２コースは、前記ニット構成要素のニット要素の少なくとも一部を備えている、請求項９に記載の方法。
【請求項１１】
前記ある量の伸縮要素を挿入するために少なくとも前記第２フィーダーを移動するステップを複数回繰り返して、前記ニット構成要素に形成される複数のニット構造内に前記ある量の伸縮要素を挿入する、請求項９または１０に記載の方法。
【請求項１２】
前記少なくとも１本の針によって前記伸縮要素を前記定位置に保持しながら、前記ニット構成要素の複数のコースを形成するために、前記第１方向に前記針床に沿って少なくとも前記第１フィーダーを移動するステップをさらに備えており、
前記第１フィーダーが前記ニット構成要素の前記複数のコースを形成するときに、前記第１コース内に挿入されている前記伸縮要素は、前記第１コースから引き出される、請求項９〜１１のいずれか一項に記載の方法。
【請求項１３】
前記少なくとも１本の針は前記伸縮要素のループを保持して、前記伸縮要素を前記定位置に維持する、請求項８〜１２のいずれか一項に記載の方法。
【請求項１４】
前記第１方向はほぼ水平方向であり、
前記第２方向はほぼ垂直方向である、請求項８〜１３のいずれか一項に記載の方法。
【請求項１５】
前記伸縮要素を前記少なくとも１本の針から少なくとも１本の第２針に移すステップと、
前記第１フィーダーが前記針床に沿って移動して、前記ニット構成要素の追加コースを形成するときに、前記少なくとも１本の第２針を使用して、前記伸縮要素を前記第２方向に沿った前記定位置に保持するステップとをさらに備える、請求項８〜１４のいずれか一項に記載の方法。
【請求項１６】
前記伸縮要素は、前記ニット構成要素の前記ウェールの方向に沿った前記定位置に前記少なくとも１本の針によって保持される、請求項８〜１５のいずれか一項に記載の方法。
【請求項１７】
第１方向に沿って複数のコースおよびウェールを形成するように少なくとも１本のヤーンを操作することによって、ニット要素を製作するステップと、
前記ニット要素の前記複数のコースおよびウェールの少なくとも一部を作成しているときに、前記第１方向にほぼ直角な第２方向に沿った定位置に、前記ニット要素に挿置されている少なくとも１つの第１伸縮要素を保持するステップと、
前記第１方向に沿って前記ニット要素の前記複数のコースの前記一部内に少なくとも１つの第２伸縮要素を挿入するステップとを備える編む方法。
【請求項１８】
前記少なくとも１つの第１伸縮要素は、前記ニット要素の前記ウェールの方向に沿った前記定位置に保持される、請求項１７に記載の方法。
【請求項１９】
ある量の少なくとも１つの第１伸縮要素を、補助要素に設けられている複数のニット構造内に挿入し、
前記補助要素は前記ニット要素を製作するステップの前に製作する、
請求項１７または１８に記載の方法。
【請求項２０】
前記少なくとも１つの第１伸縮要素を保持するステップは、前記補助要素の前記複数のニット構造内の前記ある量の少なくとも１つの第１伸縮要素が引き出されるまで続く、請求項１９に記載の方法。
【請求項２１】
ニット要素と少なくとも１つの伸縮要素とを備える履物製品のニット構成要素であって、前記ニット構成要素は、
第１方向に沿って複数のコースおよびウェールを形成するように少なくとも１本のヤーンを操作することにより、前記ニット要素を製作するステップと、
前記ニット要素の前記複数のコースおよびウェールの少なくとも一部を作成するときに、前記第１方向とは異なる第２方向に沿った定位置に、前記ニット要素に挿置されている前記少なくとも１つの伸縮要素を保持するステップと、
を備えるプロセスによって用意されるニット構成要素。
【手続補正２】
【補正対象書類名】明細書
【補正対象項目名】００４２
【補正方法】変更
【補正の内容】
【００４２】
ニット構成要素の編みプロセス
編みは人の手で行ってもよいが、ニット構成要素の商業的な製造は一般に編み機を用いた編みプロセスで行われる。図８は、ニット構成要素１３０、ニット構成要素４００、および／または以下説明するニット構成要素１６３０を含め本明細書の実施形態で説明される縦インレイ伸縮要素を有するニット構成要素のいずれか、ならびに明示的に図示または説明していないが本明細書に説明される原理に従って作成されるニット構成要素の他の構成を生産するのに適した編み機８００の例示的な実施形態を示す。この実施形態では、編み機８００は、例示のためにＶベッド型横編み機の構成を有するが、ニット構成要素またはニット構成要素の部分のいずれも他の種類の編み機で生産してもよい。
【手続補正３】
【補正対象書類名】明細書
【補正対象項目名】００６６
【補正方法】変更
【補正の内容】
【００６６】
ここで図１１を参照すると、図９Ａから図９Ｉに関して前述した編みプロセスを使用して、縦インレイ伸縮要素を形成するために使用されるヤーン８２４を含む複数のポケット状ニット構造を含む補助要素９１０を形成してもよい。この実施形態では、前針床８０１、針８０３、８０４、前方レール８１０、標準フィーダー８２０およびコンビネーションフィーダー８２２を含む編み機８００の一部が示されている。さらに、この実施形態では、第２標準フィーダー８２５を含め、少なくとも１つの追加標準フィーダーを使用して、ニット構成要素４００の部分を形成してもよい。第２標準フィーダー８２５は、ニット構成要素を形成するのに適したあらゆる種類の第２ヤーン１２００を含んでもよい。ここに図示していない編み機８００の追加構成要素、ならびに追加の標準フィーダーおよび／またはコンビネーションフィーダーを同様に使用してもよいことが理解されるべきである。
【手続補正４】
【補正対象書類名】明細書
【補正対象項目名】００６７
【補正方法】変更
【補正の内容】
【００６７】
この実施形態では、標準フィーダー８２０を使用して補助要素９１０を形成してから、第２ヤーン１２００を有する第２標準フィーダー８２５が提供されて、ニット要素４０２を含むニット構成要素４００の残りの部分を形成する。しかし、他の実施形態では、標準フィーダー８２０は補助要素９１０を形成するために使用するのと同じヤーン、ヤーン９００を使用してニット構成要素４００の残りの部分を形成し続けてもよい。図１１に図示するように、補助要素９１０のポケット状構造内へのある量のヤーン８２４の挿入を含めて、補助要素９１０を形成した後、第２標準フィーダー８２５はニット要素４０２の一部を形成し始めてもよい。
【手続補正５】
【補正対象書類名】明細書
【補正対象項目名】００６８
【補正方法】変更
【補正の内容】
【００６８】
次に、補助要素９１０のポケット状構造内に設けられているヤーン８２４は、ニット要素４０２内に垂直に挿入される用意がされている。図１２に図示するように、針８０４（あるいは、または追加で、針８０３）は、編み機８００の後針床８０２（あるいは、または追加で、前針床８０１）のほぼ定位置にヤーン８２４の複数のループ１００２を保持してもよい。したがって、第２標準フィーダー８２５が、図１３のニット要素４０２を形成するヤーン１２００の追加コースを編むとき、ヤーン８２４は編み機８００の針８０４の定位置に複数のループ１００２によって保持される。ニット構成要素４００が下方に移動しながらニット要素４０２を形成する新たなコースが作成されるとき、ヤーン８２４は補助要素のポケット状構造から巻き出されまたは送り出される。このように、図１４に図示するように、ニット要素４０２が多く形成されるほど、多くのヤーン８２４が補助要素９１０のポケット状構造から自由に引き出されまたは引張られて、縦インレイ伸縮要素４２２としてニット構成要素４００に組み込まれる。
【手続補正６】
【補正対象書類名】明細書
【補正対象項目名】００７３
【補正方法】変更
【補正の内容】
【００７３】
ここで図１６から図１８を参照すると、少なくとも縦インレイ伸縮要素１６３２および横インレイ伸縮要素１６４２とを有するニット構成要素１６３０を組み込んだ、単に履物１６００ともいう履物製品１６００の代替実施形態の一つが示される。履物製品１６００は、前述した履物１００の同様な構成要素と実質的に同様な１つ以上の構成要素を含んでもよい。たとえば、いくつかの実施形態では、履物１６００は、前述したミッドソール１１１およびアウトソール１１２を含むソール構造１１０と実質的に同様なミッドソール１６１１およびアウトソール１６１２を含むソール構造１６１０を含んでもよい。さらに、履物１６００は履物１００に関して前記開示した履物のいずれの種類であってもよい。参照のために、履物１６００は、図１６から図１８に図示するように、前述した足先領域１０１、中足領域１０２およびかかと領域１０３と実質的に同様な履物１６００の部分に関連する足先領域１６０１、中足領域１６０２およびかかと領域１６０３の３つの大略的領域に分割してもよい。同様に、履物１６００は、外側側部１０４および内側側部１０５と実質的に同様な履物１６００の側部に関連する外側側部１６０４および内側側部１６０５に関連してもよい。
【手続補正７】
【補正対象書類名】明細書
【補正対象項目名】００７７
【補正方法】変更
【補正の内容】
【００７７】
ここで図１９および図２０を参照すると、ニット構成要素１９００が履物１６００の残りの部分から分離して描かれている。ニット構成要素１９００は一体ニット構造で形成されている。いくつかの実施形態では、ニット構成要素１９００は、ニット要素４０２と実質的に同様なニット構成要素１９００の大部分を形成しているニット要素１９０２を含め、前述したニット構成要素４００の構成と実質的に同様な構成を有していてもよい。しかし、ニット構成要素４００とは対照的に、ニット構成要素１９００は、インレイ伸縮要素４２２と実質的に同様であってもよい縦インレイ伸縮要素１９２２と、横インレイ伸縮要素１９４２との両方を含んでもよい。ある例示的な実施形態では、横インレイ伸縮要素１９４２は、ニット構成要素１９００のニット要素１９０２内の１つ以上のニット構造１９４０に挿置されていてもよい。
【手続補正８】
【補正対象書類名】図面
【補正対象項目名】図１１
【補正方法】変更
【補正の内容】
【図１１】
2016516906.tif 000001
【手続補正９】
【補正対象書類名】図面
【補正対象項目名】図１２
【補正方法】変更
【補正の内容】
【図１２】
2016516906.tif 000002
【手続補正１０】
【補正対象書類名】図面
【補正対象項目名】図１３
【補正方法】変更
【補正の内容】
【図１３】
2016516906.tif 000003
【手続補正１１】
【補正対象書類名】図面
【補正対象項目名】図１４
【補正方法】変更
【補正の内容】
【図１４】
2016516906.tif 000004
【手続補正１２】
【補正対象書類名】図面
【補正対象項目名】図１５
【補正方法】変更
【補正の内容】
【図１５】
2016516906.tif 000005